【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
少なくとも１つの制御タイミングコンフィギュレーション番号を決定するための、基地局（103）における方法であって、
前記少なくとも１つの制御タイミングコンフィギュレーション番号は、マルチプルセル通信ネットワークにおいてユーザ装置（101）との間の制御タイミングをコンフィギュレーションするためのサブフレームタイミング設定を提供し、
前記方法は、
前記マルチプルセル通信ネットワークの複数のアグリゲーションされたセルについて、少なくとも１つの制御タイミングコンフィギュレーション番号を決定するステップ（10）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記決定（10）は、アグリゲーションされた各セルの前記ＴＤＤ上りリンク−下りリンクコンフィギュレーション番号についての、サブフレームタイミングの互換性に基づいている、前記決定するステップ（10）と、
前記少なくとも１つの制御タイミングコンフィギュレーション番号を前記ユーザ装置（101）に割り当てるステップ（18）と
を含むことを特徴とする方法。
【請求項２】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項１に記載の方法。
【請求項３】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項１または２に記載の方法。
【請求項４】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項１から３のいずれか１項に記載の方法。
【請求項５】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項１から３のいずれか１項に記載の方法。
【請求項６】
前記少なくとも１つの制御タイミングコンフィギュレーション番号は、前記ユーザ装置及び前記ネットワークとの間で競合することなく制御データが送受信されるように決定される
ことを特徴とする請求項１から５のいずれか１項に記載の方法。
【請求項７】
前記決定するステップ（10）は、前記複数のアグリゲーションされたセルの前記ＴＤＤ上りリンク−下りリンクコンフィギュレーション番号に基づいて、前記少なくとも１つの制御タイミングコンフィギュレーション番号を決定するステップ（11）を含む
ことを特徴とする請求項１から６のいずれか１項に記載の方法。
【請求項８】
前記決定するステップ（10）は、サブフレームタイミングの互換性の順序付けに基づいて、前記少なくとも１つの制御タイミングコンフィギュレーション番号を決定するステップ（12）を含む
ことを特徴とする請求項７に記載の方法。
【請求項９】
前記決定するステップ（12）は、前記順序付けのうちの上位レベルにあるＴＤＤ上りリンク−下りリンクコンフィギュレーションが、当該順序付けのうちの下位レベルにあるＴＤＤ上りリンク−下りリンクコンフィギュレーションからの全ての上りリンクサブフレームの上位集合である上りリンクサブフレームを含むように、サブフレームタイミングの互換性の前記順序付けを配列するステップ（14）を更に含む
ことを特徴とする請求項８に記載の方法。
【請求項１０】
前記決定するステップ（12）は、前記順序付けのうちの下位レベルにあるＴＤＤ上りリンク−下りリンクコンフィギュレーションが、当該順序付けのうちの上位レベルにあるＴＤＤ上りリンク−下りリンクコンフィギュレーションからの全ての下りリンクサブフレームの上位集合である下りリンクサブフレームを含むように、サブフレームタイミングの互換性の前記順序付けを配列するステップ（16）を更に含む
ことを特徴とする請求項８または９に記載の方法。
【請求項１１】
前記割り当てるステップ（18）は、前記少なくとも１つの制御タイミングコンフィギュレーション番号を、無線リソース制御（ＲＲＣ）シグナリングによって前記ユーザ装置に通信するステップを含む
ことを特徴とする請求項１から１０のいずれか１項に記載の方法。
【請求項１２】
前記割り当てるステップ（18）は、競合しているサブフレームの存在下で、順方向サブフレーム下りリンクスケジューリング・タイミングを、物理下りリンク制御チャネル（ＰＤＣＣＨ）に対して割り当てるステップ（20）を含む
ことを特徴とする請求項１から１１のいずれか１項に記載の方法。
【請求項１３】
前記割り当てるステップ（18）は、競合しているサブフレームの存在下で、コンポーネントキャリア間順方向サブフレーム下りリンクスケジューリング・タイミングを、物理下りリンク制御チャネル（ＰＤＣＣＨ）に対して割り当てるステップ（22）を含む
ことを特徴とする請求項１から１２のいずれか１項に記載の方法。
【請求項１４】
少なくとも１つの制御タイミングコンフィギュレーション番号を決定するための基地局（103）であって、
前記少なくとも１つの制御タイミングコンフィギュレーション番号は、マルチプルセル通信ネットワークにおいてユーザ装置（101）との間の制御タイミングをコンフィギュレーションするためのサブフレームタイミング設定を提供し、
前記基地局（103）は、
前記マルチプルセル通信ネットワークの複数のアグリゲーションされたセルについて、少なくとも１つの制御タイミングコンフィギュレーション番号を決定する決定ユニット（308）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定ユニット（308）と、
前記少なくとも１つの制御タイミングコンフィギュレーション番号を前記ユーザ装置（101）に割り当てる割当てユニット（310）と
を備えることを特徴とする基地局。
【請求項１５】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項１４に記載の基地局。
【請求項１６】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項１４または１５に記載の基地局。
【請求項１７】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項１４から１６のいずれか１項に記載の基地局。
【請求項１８】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項１４から１６のいずれか１項に記載の基地局。
【請求項１９】
前記少なくとも１つの制御タイミングコンフィギュレーション番号は、前記ユーザ装置及び前記ネットワークとの間で競合することなく制御データが送受信されるように決定される
ことを特徴とする請求項１４から１８のいずれか１項に記載の基地局。
【請求項２０】
前記決定ユニット（308）は、前記複数のアグリゲーションされたセルの前記ＴＤＤ上りリンク−下りリンクコンフィギュレーション番号に基づいて、前記少なくとも１つの制御タイミングコンフィギュレーション番号を決定する
ことを特徴とする請求項１４から１９のいずれか１項に記載の基地局。
【請求項２１】
前記決定ユニット（308）は、サブフレームタイミングの互換性の順序付けに基づいて、前記少なくとも１つの制御タイミングコンフィギュレーション番号を決定する
ことを特徴とする請求項２０に記載の基地局。
【請求項２２】
前記順序付けのうちの上位レベルにあるＴＤＤ上りリンク−下りリンクコンフィギュレーションが、当該順序付けのうちの下位レベルにあるＴＤＤ上りリンク−下りリンクコンフィギュレーションからの全ての上りリンクサブフレームの上位集合である上りリンクサブフレームを含むように、サブフレームタイミングの互換性の前記順序付けが配列される
ことを特徴とする請求項２１に記載の基地局。
【請求項２３】
前記順序付けのうちの下位レベルにあるＴＤＤ上りリンク−下りリンクコンフィギュレーションが、当該順序付けのうちの上位レベルにあるＴＤＤ上りリンク−下りリンクコンフィギュレーションからの全ての下りリンクサブフレームの上位集合である下りリンクサブフレームを含むように、サブフレームタイミングの互換性の前記順序付けが配列される
ことを特徴とする請求項２１または２２に記載の基地局。
【請求項２４】
前記割当てユニット（310）は、前記少なくとも制御１つのタイミングコンフィギュレーション番号を、無線リソース制御（ＲＲＣ）シグナリングによって前記ユーザ装置に通信する
ことを特徴とする請求項１４から２３のいずれか１項に記載の基地局。
【請求項２５】
前記割当てユニット（310）は、競合しているサブフレームの存在下で、順方向サブフレーム下りリンクスケジューリング・タイミングを、物理下りリンク制御チャネル（ＰＤＣＣＨ）に対して割り当てる
ことを特徴とする請求項１４から２４のいずれか１項に記載の基地局。
【請求項２６】
前記割当てユニット（310）は、競合しているサブフレームの存在下で、コンポーネントキャリア間順方向サブフレーム下りリンクスケジューリング・タイミングを、物理下りリンク制御チャネル（ＰＤＣＣＨ）に対して割り当てる
ことを特徴とする請求項１４から２５のいずれか１項に記載の基地局。
【請求項２７】
少なくとも１つの制御タイミングコンフィギュレーション番号を決定するための、ユーザ装置（101）における方法であって、
前記少なくとも１つの制御タイミングコンフィギュレーション番号は、マルチプルセル通信ネットワークにおいてユーザ装置（101）についての制御タイミングをコンフィギュレーションするためのサブフレームタイミング設定を提供し、
前記方法は、
前記マルチプルセル通信ネットワークの複数のアグリゲーションされたセルについて、少なくとも１つの制御タイミングコンフィギュレーション番号を決定するステップ（30）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記決定（30）は、アグリゲーションされた各セルの前記ＴＤＤ上りリンク−下りリンクコンフィギュレーション番号についての、サブフレームタイミングの互換性に基づいている、前記決定するステップ（30）と、
前記少なくとも１つの制御タイミングコンフィギュレーション番号に基づく制御タイミングを実装するステップ（33）と、
を含むことを特徴とする方法。
【請求項２８】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項２７に記載の方法。
【請求項２９】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項２７または２８に記載の方法。
【請求項３０】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項２７から２９のいずれか１項に記載の方法。
【請求項３１】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項２７から２９のいずれか１項に記載の方法。
【請求項３２】
前記実装するステップ（33）は、前記ユーザ装置及び前記ネットワークとの間で競合することなく制御データが送受信されるように、前記少なくとも１つの制御タイミングコンフィギュレーション番号に基づいて当該制御データをスケジューリングするステップ（37）を含む
ことを特徴とする請求項２７から３１のいずれか１項に記載の方法。
【請求項３３】
前記決定するステップ（30）は、前記少なくとも１つの制御タイミングコンフィギュレーション番号を基地局（103）から受信するステップ（31）を含む
ことを特徴とする請求項２７から３２のいずれか１項に記載の方法。
【請求項３４】
前記少なくとも１つの制御タイミングコンフィギュレーション番号は、無線リソース制御（ＲＲＣ）シグナリングによって受信される
ことを特徴とする請求項３３に記載の方法。
【請求項３５】
前記決定するステップ（30）は、前記ユーザ装置及び前記ネットワークとの間で競合することなく制御データが送受信されるように、前記少なくとも１つの制御タイミングコンフィギュレーション番号を決定するステップ（32）を含む
ことを特徴とする請求項２７から３４のいずれか１項に記載の方法。
【請求項３６】
前記実装するステップ（33）は、競合しているサブフレームの存在下で、順方向サブフレーム下りリンクスケジューリング・タイミングを、物理下りリンク制御チャネル（ＰＤＣＣＨ）に対してスケジューリングするステップ（34）を含む
ことを特徴とする請求項２７から３５のいずれか１項に記載の方法。
【請求項３７】
前記実装するステップ（33）は、競合しているサブフレームの存在下で、コンポーネントキャリア間順方向サブフレーム下りリンクスケジューリング・タイミングを、物理下りリンク制御チャネル（ＰＤＣＣＨ）に対してスケジューリングするステップ（36）を含む
ことを特徴とする請求項２７から３６のいずれか１項に記載の方法。
【請求項３８】
少なくとも１つの制御タイミングコンフィギュレーション番号を決定するためのユーザ装置（101）であって、
前記少なくとも１つの制御タイミングコンフィギュレーション番号は、マルチプルセル通信ネットワークにおいてユーザ装置（101）についての制御タイミングをコンフィギュレーションするためのサブフレームタイミング設定を提供し、
前記ユーザ装置（101）は、
前記マルチプルセル通信ネットワークの複数のアグリゲーションされたセルについて、少なくとも１つの制御タイミングコンフィギュレーション番号を決定する決定ユニット（402）であって、アグリゲーションされた各セルは時分割複信（ＴＤＤ）上りリンク−下りリンクコンフィギュレーション番号に関連付けられており、前記複数のアグリゲーションされたセルの少なくとも２つのＴＤＤ上りリンク−下りリンクコンフィギュレーション番号は等しくなく、前記複数のアグリゲーションされたセルは前記ユーザ装置（101）と関連付けられており、前記少なくとも１つの制御タイミングコンフィギュレーション番号は、アグリゲーションされた各セルの前記ＴＤＤ上りリンク−下りリンクコンフィギュレーション番号についての、サブフレームタイミングの互換性に基づいて決定される、前記決定ユニット（402）と、
前記少なくとも１つの制御タイミングコンフィギュレーション番号に基づく制御タイミングを実装する実装ユニット（408）と、
を備えることを特徴とするユーザ装置。
【請求項３９】
前記少なくとも１つの制御タイミングコンフィギュレーション番号は、前記複数のアグリゲーションされたセルにわたって下りリンク・ハイブリッド自動再送要求（ＨＡＲＱ）Ａ／Ｎタイミングを確立するための、下りリンクＨＡＲＱ制御タイミングコンフィギュレーションを示す
ことを特徴とする請求項３８に記載のユーザ装置。
【請求項４０】
前記少なくとも１つの制御タイミングコンフィギュレーション番号は、前記複数のアグリゲーションされたセルにわたって上りリンクスケジューリンググラント・タイミングと確認応答／否定応答（Ａ／Ｎ）タイミングとの少なくともいずれかを確立するための、上りリンク制御タイミングコンフィギュレーション番号を示す
ことを特徴とする請求項３８または３９に記載のユーザ装置。
【請求項４１】
前記少なくとも１つの制御タイミングコンフィギュレーション番号は、前記複数のアグリゲーションされたセルの前記ＴＤＤ上りリンク−下りリンクコンフィギュレーション番号のうちの１つと等しい
ことを特徴とする請求項３８から４０のいずれか１項に記載のユーザ装置。
【請求項４２】
前記少なくとも１つの制御タイミングコンフィギュレーション番号は、前記複数のアグリゲーションされたセルの前記ＴＤＤ上りリンク−下りリンクコンフィギュレーション番号のいずれとも等しくない
ことを特徴とする請求項３８から４０のいずれか１項に記載のユーザ装置。
【請求項４３】
前記実装ユニット（408）は、前記ユーザ装置及び前記ネットワークとの間で競合することなく制御データが送受信されるように、前記少なくとも１つの制御タイミングコンフィギュレーション番号に基づいて当該制御データをスケジューリングする
ことを特徴とする請求項３８から４２のいずれか１項に記載のユーザ装置。
【請求項４４】
前記決定ユニット（402）は、前記少なくとも１つの制御タイミングコンフィギュレーション番号を基地局（103）から受信する
ことを特徴とする請求項３８から４３のいずれか１項に記載のユーザ装置。
【請求項４５】
前記少なくとも１つの制御タイミングコンフィギュレーション番号は、無線リソース制御（ＲＲＣ）シグナリングによって受信される
ことを特徴とする請求項４４に記載のユーザ装置。
【請求項４６】
前記実装ユニット（408）は、前記ユーザ装置及び前記ネットワークとの間で競合することなく制御データが送受信されるように、前記少なくとも１つの制御タイミングコンフィギュレーション番号を実装する
ことを特徴とする請求項３８から４５のいずれか１項に記載のユーザ装置。
【請求項４７】
前記実装ユニット（408）は、競合しているサブフレームの存在下で、順方向サブフレーム下りリンクスケジューリング・タイミングを、物理下りリンク制御チャネル（ＰＤＣＣＨ）に対してスケジューリングする
ことを特徴とする請求項３８から４６のいずれか１項に記載のユーザ装置。
【請求項４８】
前記実装ユニット（408）は、競合しているサブフレームの存在下で、コンポーネントキャリア間順方向サブフレーム下りリンクスケジューリング・タイミングを、物理下りリンク制御チャネル（ＰＤＣＣＨ）に対してスケジューリングする
ことを特徴とする請求項３８から４７のいずれか１項に記載のユーザ装置。
【手続補正２】
【補正対象書類名】明細書
【補正対象項目名】０１３４
【補正方法】変更
【補正の内容】
【０１３４】
一部の例示的実施形態では、少なくとも１つのタイミングコンフィギュレーション番号は、例えば、小見出し「コンフィギュレーション割当て」以下の例示的事例２に示すように、複数のアグリゲーションされたセルの上りリンク−下りリンクコンフィギュレーション番号のうちの１つと等しくなるように決定されてもよい。一部の例示的実施形態では、少なくとも１つのタイミングコンフィギュレーション番号は、例えば、小見出し「コンフィギュレーション割当て」以下の例示的事例１に示すように、複数のアグリゲーションされたセルのいずれの上りリンク−下りリンクコンフィギュレーション番号とも等しくないように決定されてもよい。少なくとも１つのタイミングコンフィギュレーション番号は、制御データが、ユーザ装置及びネットワークとの間で競合することなく送受信されるように決定されてもよい。
【手続補正３】
【補正対象書類名】明細書
【補正対象項目名】０１４８
【補正方法】変更
【補正の内容】
【０１４８】
例示的動作３２：
一部の例示的実施形態によれば、決定（３０）は、更に、制御データがユーザ装置及びネットワークとの間で競合することなく送受信されるように、少なくとも１つのタイミングコンフィギュレーション番号を決定すること（３２）を含んでいてもよい。決定ニットは、当該決定（３２）を実行するように構成されてもよい。
【手続補正４】
【補正対象書類名】明細書
【補正対象項目名】０１５３
【補正方法】変更
【補正の内容】
【０１５３】
例示的動作３７：
一部の例示的実施形態によれば、実装（３３）は、更に、制御データがユーザ装置及びネットワークとの間で競合することなく送受信されるように、少なくとも１つのタイミングコンフィギュレーションに基づいて、当該制御データをスケジューリングすること（３７）を含んでいてもよい。